(57)【要約】【課題】  コケの生育を阻害しないで安価に製造できるコケ植生マットを提供する。【解決手段】  繊維質基材の上にコケの生育部分を均一密度で載せ、その上に紙を被せて繊維質基材と紙とをニードルパンチで固定したことを特徴とするコケ植生マット。【選択図】  図１
0003124228.tif 000002
【実用新案登録請求の範囲】
【請求項１】
繊維質基材の上にコケの生育部分を均一密度で載せ、その上に紙を被せて繊維質基材と紙とをニードルパンチで固定したことを特徴とするコケ植生マット。
【請求項２】
紙が水溶性のトイレットペーパー、ティッシュペーパー、キッチンペーパーのいずれかである請求項１のコケ植生マット。
【請求項３】
紙が同種又は異種のものが複数枚用いられる請求項１又は２のコケ植生マット。
【考案の詳細な説明】
【技術分野】
【０００１】
本考案は、コケ（蘚苔類、地衣類）を植生したコケ植生マットに関するものである。
【背景技術】
【０００２】
緑化や美観が必要とされる公園や庭園の地面には芝生に代えて或いは芝生と共にコケを植え付けることがある。このような場合、手っとり早く育成するために、コケを植生したコケ植生マットを敷くことがある。このコケ植生マットとして、下記特許文献１及び２に示されるものがある。このうち、特許文献１のものは、織布や不織布といった繊維体の上にコケの生育部分（配偶体、胞子、無性芽といった生育する部分、以下、単にコケという）を植え付け、コケの上を更に繊維体で覆ってニードルパンチで固定したものである。そして、この繊維体には、分解性のものや非分解性のものがあると述べられている。
【０００３】
しかし、被覆材に分解性の繊維体を使用したとしても、分解するまでには相当の期間を要することから、これがコケの生育を害すことがある。コケは新芽が直立して生育することから、生育するには、繊維間を突き抜ける必要があり、繊維体が物理的な障壁となって突き抜けができないことがあるからである。また、上下とも、繊維体を使用することから、価格も高くなる。
【０００４】
一方、特許文献２のものは、コケの基盤となる基材を保水性のあるものにして上方の被覆材を水溶性のものにしたものである。しかし、コケには根のようなものはなく、水分等は、配偶体（葉っぱの部分）から直接吸収されるものであるから、基材が保水性を有していても意味がない。また、被覆材が水溶性であるとしても、分解するまでには相当の期間を要することから、コケの成育を害することがあるのは上述したとおりである。
【特許文献１】特開２００２−１７１８３０号公報
【特許文献２】特開２００４−３２９００２号公報
【考案の開示】
【考案が解決しようとする課題】
【０００５】
本考案は、このような課題を解決したものであり、コケの成育を害することがなく、かつ製造コストの安いコケ植生マットを提供するものである。
【課題を解決するための手段】
【０００６】
以上の課題の下、本考案は、請求項１に記載した、繊維質基材の上にコケの生育部分を均一密度で載せ、その上に紙を被せて繊維質基材と紙とをニードルパンチで固定したことを特徴とするコケ植生マットを提供するとともに、これにおいて、請求項２に記載した、紙が水溶性のトイレットペーパー、ティッシュペーパー、キッチンペーパーのいずれかである手段、請求項３に記載した、紙が同種又は異種のものが複数枚用いられる手段を提供したものである。
【考案の効果】
【０００７】
請求項１の手段によると、コケの上方の被覆材は紙であるから、雨水や散水によって容易、かつ早期に溶解する。ただし、暫くは残滓が被さった状態になるから、成育初期に必要とされる水分の補給や日光の遮断及びコケの基材からの離脱が防止される。そして、時間が経つと、残滓も消失するから、コケの成育を害さない。加えて、紙は軟らかであるから、ニードルパンチでコケを押さえ付けても、コケを傷めないし、紙は安価であるから、製造コストも安くなる。また、請求項２や請求項３の手段によれば、水に対する溶解度や物理的強度を選定できるから、コケの種類や植付け場所等に対応できるものとなる。
【考案を実施するための最良の形態】
【０００８】
以下、本考案の実施の形態を図面を参照して説明する。図１は本考案に係るコケ植生マットの断面図であるが、このコケ植生マットは、繊維質基材（以下、基材）１の上にコケ２の生育部分を均一に散布し、その上に紙３を被せて基材１と紙３とでコケ２を挟み込んだものである。この場合、基材１と紙３とはばらけないように適宜固定する必要があるが、これをニードルパンチで行う。これらの作業は、人手によってもよいが、図２の説明図に示す方法で連続的に行うのが効率的である。
【０００９】
すなわち、基材１をロールに巻いた状態から繰り出し、その上にコケ散布機によってほぐした状態のコケを２を均一に散布し、コケ２の上に同じくロールに巻いた紙３を繰り出して被せて行く。そして、これをニードルパンチ機５でパンチし、コケ２を挟んだ基材１と紙３とを一体化するとともに、ロールに巻き取る。このときのニードルパンチは、上方の被覆材が紙３であることから、ニードル径は０．５ｍｍ以下が好ましいし、パンチ密度も通常よりは少ない５〜５０個／ｃｍ2 程度で十分である。このようにして形成された基材１、コケ２及び紙３の積層ロールを適宜長さで切断してコケ植生マットとする。
【００１０】
これにおいて、基材１は、布材、木材、樹脂材、無機材、金属材等、マットに成形できるものであれば何でもよいが、可撓性のあるものがロールに巻けて好ましいし、繊維質のものがニードルパンチによる一体化が強化されて好ましい。この点で、天然、化学、合成繊維からなる織布や不織布が適する。また、コケ２についても、ギンゴケ、ホソウリゴケ、スナゴケ、シッポゴケ、ハイゴケ、シノブゴケ、カモジゴケ、ヒノキゴケ、コウヤノマンネングサ、フロウソウ等があり、これらを増殖させて用いる。さらに、紙３については、水溶性のものが条件であり、溶解性の高い順にトイレットペーパー、ティッシュペーパー、キッチンペーパーといったものがあるから、これらを適宜選択すればよい。なお、必要なら、同種又は異種のものを複数枚重ねて使用してもよい。
【００１１】
以上のコケ植生マットは、緑化や美観が必要とされる公園や庭園に基材１を下にして敷き並べられるが、これにより、コケ２は時間の経過と共に生育する。この間、散水や雨による水分の供給或いは風や日光による風化によって上方の紙３は溶解や破壊が起こる。本考案は、コケ２の上方の被覆材が水に対しても物理的にも弱い紙３であることが特徴で、従来の織布や不織布と違って極めて早期に溶解して消失する。しかし、紙３といえども、物理的に存在するものであるから、基材１とでコケ２を保持する機能を有しており、マットの形成を可能にする（紙３の種類や枚数によって保持能力は異なる）。
【００１２】
コケ２は、その新芽が直立して上方に生長するのは上述したが、このとき、上方に遮蔽物があると、新芽は遮蔽物を突き破って延びなければならない。すなわち、遮蔽物が織布や不織布であると、新芽は繊維間を突き抜けなければならないが、繊維間が密であると、この突き抜けができず、生育は阻害される。特に、ヒノキゴケ、コウヤノマンネングサ、フロウソウといった固体の大きなものは、この突き抜けができず、生育できなかったり、生育の密度が粗になるといったことがある。
【００１３】
しかし、紙３は水に溶解するのも早いし、強度的にも弱いから、新芽の生長に支障を来さない。仮に、未溶解であったとしても、コケ２は紙３を突き破って生長する。ただし、紙３が水によって溶解した場合、その残滓がコケ２の上方を被覆しており、生育初期に必要とされる水分供給や遮光性を発揮し、また、基材１からの離脱を防ぐものとなるのも上述したとおりである。
【００１４】
以上のことから、被覆材としての紙３の種類は、コケ２の種別等によって選択すればよい。ギンゴケ、ホソウリゴケ、スナゴケ、シッポゴケ、ハイゴケといった固体の小さなコケ２は、トイレットペーパーのような早期に溶解するものが適し、ヒノキゴケ、コウヤノマンネングサ、フロウソウといった固体の大きなものは、ティッシュペーパー、キッチンペーパーといった溶解の遅いものでもよい。
【図面の簡単な説明】
【００１５】
【図１】コケ植生マットの断面図である。
【図２】コケ植生マットの製造を示す説明図である。
【符号の説明】
【００１６】
１      基材
２      コケの生育部分
３      紙
４      コケ散布機
５      ニードルパンチ機
【図１】
0003124228.tif 000003
【図２】
0003124228.tif 000004